(57)【要約】      （修正有）【課題】噛み合わせ動作により移動することがなく安定した装着状態を維持する新規な無口蓋義歯を提供する。【解決手段】全体形状が略馬蹄形に成形され、上面は上顎の歯茎２２Ａ，２２Ｂの下面に接触される植設床部１２Ａ，１２Ｂと、この植設床部に連続するとともに上記上顎の歯茎２２Ａ，２２Ｂの内側面に接触する内側床部１４Ａ，１４Ｂと、上記植設床部に連続するとともに上記上顎の歯茎の外側面に接触し上記内側床部１４Ａ，１４Ｂと協同して上記上顎の歯茎を挟持する外側床部１７Ａ，１７Ｂと、を有する義歯床と、上記植設床部の下面に植設された複数の人工歯と、を備え、全体形状が略馬蹄形に成形された無口蓋義歯において、上記義歯床の内側床部１４Ａ，１４Ｂであって左側の第２大臼歯並びに右側の第２大臼歯８Ｒの近傍には、口蓋２１の一部２１ａ，２１ｂに接触するまで延設された延設部１４ｊ，１４ｋがそれぞれ形成される。【選択図】図２
0003132554.tif 000002
【実用新案登録請求の範囲】
【請求項１】
全体形状が略馬蹄形に成形されてなるとともに上面は上顎の歯茎の下面に接触される植設床部と、この植設床部に連続してなるとともに上記上顎の歯茎の内側面に接触する内側床部と、上記植設床部に連続してなるとともに上記上顎の歯茎の外側面に接触し上記内側床部と協同して上記上顎の歯茎を挟持する外側床部と、を有する義歯床と、上記植設床部の下面に植設された複数の人工歯と、を備え、全体形状が略馬蹄形に成形された無口蓋義歯において、
上記義歯床の内側床部であって左側の第２大臼歯及び／又は左側の第３大臼歯の近傍並びに右側の第２大臼歯及び／又は右側の第３大臼歯の近傍には、口蓋の一部に接触するまで延設された延設部がそれぞれ形成されてなることを特徴とする無口蓋義歯。
【請求項２】
上記義歯床の内側床部であって左側の中切歯及び／又は右側の中切歯の近傍には、口蓋の一部に接触するまで延設された延設部が形成されてなることを特徴とする請求項１記載の無口蓋義歯。
【請求項３】
上記義歯床の内側床部であって左側の第１小臼歯及び／又は左側の第２小臼歯の近傍並びに右側の第１小臼歯及び／又は右側の第２小臼歯の近傍には、口蓋の一部に接触するまで延設された延設部がそれぞれ形成されてなることを特徴とする請求項１又は２記載の何れかの無口蓋義歯。
【請求項４】
前記複数の人工歯と人工歯との間には、天然歯が受け入れられる受入れ空間が形成され、天然歯の外側には、前記義歯床と同一の素材により成形されてなるとともに該天然歯に接触し該天然歯を押圧する押圧部材が配置されてなり、
上記押圧部材は、基端が上記義歯床に埋設されてなる埋設部と、上記天然歯の外側に露出し該天然歯を押圧する帯状の押圧部とを備えてなることを特徴とする請求項１，２又は３記載の何れかの無口蓋義歯。
【請求項５】
前記押圧部材の少なくとも押圧部は、透明とされてなることを特徴とする請求項４記載の無口蓋義歯。
【考案の詳細な説明】
【技術分野】
【０００１】
本考案は、複数の人工歯を植設して馬蹄形に成形された無口蓋義歯に関し、特に義歯床の内側に口蓋の全面を閉塞する口蓋床部を有しない無口蓋義歯に関する。
【背景技術】
【０００２】
従来の技術による上顎用義歯は、複数の人工歯を植設して馬蹄形に成形された植設床部と、この植設床部の内側と連続し該植設部の左側と右側とを連結するとともに、口蓋のほぼ全面に接触する口蓋床部と、前記植設床部の外側と連続し該植設床部を支持する外側床部とを備える義歯床により成形されている。この上顎用義歯においては、義歯床の口蓋床部により口蓋の表面が閉塞されるので、口腔内の温度を口蓋により感じることができず食感が損なわれること、舌が口蓋に直接接触しないので明瞭な発音（特にサ行の発音）ができなくなること、口蓋とは異なる舌触りにより違和感が生じることなどの不都合があった。
【０００３】
そこで、これらの不都合を改良したものとして、図８，図９に示す無口蓋義歯１０１が提案されている。この無口蓋義歯１０１は、上記口蓋床部を除去したものであって、図８に示すように、左右の中切歯１０２Ａ，１０２Ｂないし左右の第２大臼歯１０８Ａ，１０８Ｂでなる人工歯１１０Ｌ，１１０Ｒと、これら人工歯１１０Ｌ，１１０Ｒを植設して馬蹄形に成形された義歯床１１１とで構成されている。
【０００４】
そして、義歯床１１１は、図９に示す左右の第２大臼歯１０８Ａ，１０８Ｂの断面部において、左右の第２大臼歯１０８Ａ，１０８Ｂを植設する植設床部１１２Ａ，１１２Ｂと、これら植設床部１１２Ａ，１１２Ｂの内側と連なり歯茎１２２Ａ，１２２Ｂの下面と内側面との交差部（符号は省略する）近傍まで延設された延設部１１４ｃ、１１４ｄを有する内側床部１１４Ａ，１１４Ｂと、前記植設床部１１２Ａ，１１２Ｂの外側と連なり歯茎１２２Ａ，１２２Ｂの基部（符号は省略する）近傍まで延設された延設部１１７ｃ、１１７ｄを有する外側床部１１７Ａ，１１７Ｂと、により構成されている。なお、図９に示す第２大臼歯１０８Ａ，１０８Ｂ以外の人工歯の部分についても同様の構成になっている。
【考案の開示】
【考案が解決しようとする課題】
【０００５】
しかしながら、上記無口蓋義歯１０１を口腔内に装着して噛み合わせ、図８又は図９に示す左側の第２大臼歯１０８Ａと右側の第２大臼歯１０８Ｂとが、図示しない下顎の左側の第２大臼歯と右側の第２大臼歯とにより押圧され、この押圧により左側の植設床部１１２Ａと右側の植設床部１１２Ｂとが歯茎１２２Ａ，１２２Ｂの下面にそれぞれ押圧されると、内側床部１１４Ａ，１１４Ｂの延設部１１４ｃ、１１４ｄが、図９に示す歯茎１２２Ａ，１２２Ｂの下面と内側面との交差部近傍までしか延設されていないので、義歯床１１１は、図１０に示すように、例えば、右側の内側床部１１４Ｂが歯茎１２２Ｂ上を頬１２５側へ（図示右側へ）滑動するとともに、外側床部１１７Ｂも図示右側へ滑動し、外側床部１１７Ｂの延設部１１７ｄが図９に示す歯茎１２２Ｂの基部から図１０に示す頬１２５Ｂ内に食い込み、頬１２５Ｂの内壁面（粘膜面）１２５ｅが内壁面１２５ｆのように膨れる。この移動及び食い込みにより、左側の第２大臼歯１０８Ａと右側の第２大臼歯１０８Ｂとの距離を広げようとする分力が生じるとともに、左側の中切歯１０２Ａと右側の中切歯１０２Ｂとの間の中央線１２８近傍に応力集中が生じる。
【０００６】
そして、上記従来の技術においては、上記外側床部１１７Ｂの延設部１１７ｄが歯茎１２２Ｂの基部から頬１２５Ｂ内に食い込むことにより、当該局部に痛み、炎症、損傷等を生じるとともに、噛み合わせを頻繁に繰返すことにより、図８に示す左側の中切歯１０２Ａと右側の中切歯１０２Ｂとの間の中央線１２８近傍に応力集中が生じ、中央線１２８近傍に亀裂が生じて破損するという問題があった。
【０００７】
そこで、本考案は、上述した従来の技術による無口蓋義歯が有する課題を解決するために提案されたものであって、頻繁に繰り返される噛み合わせ動作により移動することがなく安定した装着状態を維持することができ、上記移動により歯茎に痛み、炎症、損傷等が生じないとともに、義歯床が亀裂せず破損しない新規な無口蓋義歯を提供することを目的とするものである。
【課題を解決するための手段】
【０００８】
上述した目的を達成するため、第１の考案（請求項１記載の考案）に係る無口蓋義歯は、全体形状が略馬蹄形に成形されてなるとともに上面は上顎の歯茎の下面に接触される植設床部と、この植設床部に連続してなるとともに上記上顎の歯茎の内側面に接触する内側床部と、上記植設床部に連続してなるとともに上記上顎の歯茎の外側面に接触し上記内側床部と協同して上記上顎の歯茎を挟持する外側床部と、を有する義歯床と、上記植設床部の下面に植設された複数の人工歯と、を備え、全体形状が略馬蹄形に成形された無口蓋義歯において、上記義歯床の内側床部であって左側の第２大臼歯及び／又は左側の第３大臼歯の近傍並びに右側の第２大臼歯及び／又は右側の第３大臼歯の近傍には、口蓋の一部に接触するまで延設された延設部がそれぞれ形成されてなることを特徴とするものである。
【０００９】
この第１の考案では、上記義歯床の内側床部であって左側の第２大臼歯及び／又は左側の第３大臼歯の近傍並びに右側の第２大臼歯及び／又は右側の第３大臼歯の近傍には、口蓋の一部に接触するまで延設された延設部がそれぞれ形成されてなることから、無口蓋義歯を口腔内に装着して噛み合わせた場合に、上記内側床部が上顎の歯茎の内側面に当接するとともに、上記内側床部の延設部が口蓋の一部に当接し、義歯床の内側床部及び外側床部は歯茎上を滑動しないので、外側床部が頬に食い込むことなく痛み、炎症、損傷等が生じないとともに、義歯床の左側と右側との距離を広げようとする分力が生じないので、義歯床が亀裂せず破損しないようにすることができる。
【００１０】
また、第２の考案（請求項２記載の考案）は、上記第１の考案において、上記義歯床の内側床部であって左側の中切歯及び／又は右側の中切歯の近傍には、口蓋の一部に接触するまで延設された延設部が形成されてなることを特徴とするものである。
【００１１】
この第２の考案では、上記義歯床の内側床部であって左側の中切歯及び／又は右側の中切歯の近傍には、口蓋の一部に接触するまで延設された延設部が形成されてなることから、義歯床の左側の中切歯及び／又は右側の中切歯の近傍が補強され、無口蓋義歯を口腔内に装着して噛み合わせた場合に、義歯床の左側と右側との距離を広げようとする分力が生じ、義歯床に応力集中が生じても、義歯床の左側の中切歯及び／又は右側の中切歯の近傍に亀裂が生じないようにすることができる。
【００１２】
また、第３の考案（請求項３記載の考案）は、上記第１又は第２の考案において、上記義歯床の内側床部であって左側の第１小臼歯及び／又は左側の第２小臼歯の近傍並びに右側の第１小臼歯及び／又は右側の第２小臼歯の近傍には、口蓋の一部に接触するまで延設された延設部がそれぞれ形成されてなることを特徴とするものである。
【００１３】
この第３の考案では、上記義歯床の内側床部であって左側の第１小臼歯及び／又は左側の第２小臼歯の近傍並びに右側の第１小臼歯及び／又は右側の第２小臼歯の近傍には、口蓋の一部に接触するまで延設された延設部がそれぞれ形成されてなることから、無口蓋義歯を口腔内に装着して噛み合わせた場合に、上記内側床部が上顎の歯茎の内側面に当接するとともに、上記内側床部の延設部が口蓋の一部に当接し、義歯床の内側床部及び外側床部は歯茎上を滑動しないので、より一層外側床部が頬に食い込むことなく痛み、炎症、損傷等が生じないとともに、義歯床の左側と右側との距離を広げようとする分力が生じないので、義歯床が亀裂せず破損しないようにすることができる。
【００１４】
また、第４の考案（請求項４記載の考案）は、前記複数の人工歯と人工歯との間には、天然歯が受け入れられる受入れ空間が形成され、天然歯の外側には、前記義歯床と同一の素材により成形されてなるとともに該天然歯に接触し該天然歯を押圧する押圧部材が配置されてなり、上記押圧部材は、基端が上記義歯床に埋設されてなる埋設部と、上記天然歯の外側に露出し該天然歯を押圧する帯状の押圧部とを備えてなることを特徴とするものである。
【００１５】
この第４の考案では、天然歯の外側には、該天然歯に接触し該天然歯を押圧する押圧部材が配置されてなり、上記押圧部材は、基端が上記義歯床に埋設されてなる埋設部と、上記天然歯の外側に露出し該天然歯を押圧する帯状の押圧部とを備えてなることから、該押圧部材の押圧部による天然歯の押圧作用により、内側床部と外側床部とによる歯茎の挟持と相まって、義歯床の落下を防止することができる。
【００１６】
また、第５の考案（請求項５記載の考案）は、前記押圧部材の少なくとも押圧部は、透明とされてなることを特徴とするものである。
【００１７】
この第５の考案では、上記押圧部材の少なくとも押圧部は、透明とされてなることから、押圧部材の装着を視認できず違和感がないので不快感を抱くことがない。
【考案の効果】
【００１８】
上記第１の考案（請求項１記載の考案）に係る無口蓋義歯では、無口蓋義歯を口腔内に装着して噛み合わせた場合に、上記内側床部が上顎の歯茎の内側面に当接するとともに、上記内側床部の延設部が口蓋の一部に当接し、義歯床の内側床部及び外側床部は歯茎上を滑動しないので、外側床部が頬に食い込むことなく痛み、炎症、損傷等が生じないとともに、義歯床の左側と右側との距離を広げようとする分力が生じず、義歯床が亀裂せず破損しないことから、痛み、炎症、損傷等による苦痛を防止することができ、安全性を高めることができるとともに、義歯床の破損を防止して品質の向上を図ることができる。
【００１９】
また、第２の考案（請求項２記載の考案）では、義歯床の左側の中切歯及び／又は右側の中切歯の近傍が補強され、無口蓋義歯を口腔内に装着して噛み合わせた場合に、義歯床の左側と右側との距離を広げようとする分力が生じ、義歯床に応力集中が生じても、義歯床の左側の中切歯及び／又は右側の中切歯の近傍に亀裂が生じないことから、義歯床の破損を防止し、さらなる品質の向上を図ることができる。
【００２０】
また、第３の考案（請求項３記載の考案）では、無口蓋義歯を口腔内に装着して噛み合わせた場合に、上記内側床部が上顎の歯茎の内側面に当接するとともに、上記内側床部の延設部が口蓋の一部に当接し、義歯床の内側床部及び外側床部は歯茎上を滑動しないので、外側床部が頬に食い込むことなく痛み、炎症、損傷等が生じないとともに、義歯床の左側と右側との距離を広げようとする分力が生じず、義歯床が亀裂せず破損しないことから、使用者は痛み、炎症、損傷等による苦痛がなく、より一層安全性を高めることができるとともに、義歯床の破損を防止して品質の向上を図ることができる。
【００２１】
また、第４の考案（請求項４記載の考案）では、上記押圧部材の押圧部による天然歯の押圧作用により、内側床部と外側床部とによる歯茎の挟持と相まって、義歯床の落下を防止することができるので、品質の向上を図る頃ができるとともに、安全性を高めることができる。
【００２２】
また、第５の考案（請求項５記載の考案）では、上記押圧部材の少なくとも押圧部は、透明とされてなることから、押圧部材の装着を視認できず違和感がないので不快感を抱くことがなく、美観を高めることができる。
【考案を実施するための最良の形態】
【００２３】
以下、本考案を実施するための無口蓋義歯の形態を、図面を参照しながら詳細に説明する。この無口蓋義歯１は、図１に示すように、左右の中切歯２Ｌ，２Ｒないし第２大臼歯８Ｌ，８Ｒの左右それぞれ７本でなる左右の人工歯１０Ｌ，１０Ｒと、これらの人工歯１０Ｌ，１０Ｒを植設して馬蹄形に成形された義歯床１１とで構成されている。前記義歯床１１は、左右の人工歯１０Ｌ，１０Ｒを植設して馬蹄形に成形された図２ないし図５に示す植設床部１２Ａ，１２Ｂ，・・・１２Ｆ，１２Ｇと、これら植設床部１２Ａ，１２Ｂ，・・・１２Ｆ，１２Ｇと上顎の歯茎２２Ａ，２２Ｂ，２２Ｃ内側で連続し該植設床部１２Ａ，１２Ｂ，・・・１２Ｆ，１２Ｇを支持する内側床部１４Ａ，１４Ｂ、・・・１４Ｆ，１４Ｇと、上記植設床部１２Ａ，１２Ｂ，・・・１２Ｆ，１２Ｇと歯茎２２Ａ，２２Ｂ，２２Ｃの外側で連続し該植設床部１２Ａ，１２Ｂ，・・・１２Ｆ，１２Ｇを上記内側床部１４Ａ，１４Ｂ、・・・１４Ｆ，１４Ｇと協同で歯茎を挟持する外側床部１７Ａ，１７Ｂ，・・・１７Ｆ，１７Ｇとにより構成されている。
【００２４】
先ず、第１の実施の形態であって、図１又は図２に示す左右の第２大臼歯８Ｌ，８Ｒの近傍における義歯床１１について、詳細に説明する。義歯床１１の左右の植設床部１２Ａ，１２Ｂは、左側の第２大臼歯８Ｌを植設する植設床部１２Ａの内面１２ｊが、歯茎２２Ａの頂部（下面部）２２ｅと接触するように形成され、植設床部１２Ａの下面部（符号は省略する）には、左側の第２大臼歯８Ｌが植設されている。また、右側の第２大臼歯８Ｒを植設する植設床部１２Ｂの内面１２ｋが、歯茎２２Ｂの頂部（下面部）２２ｆと接触するように形成され、植設床部１２Ｂの下面部（符号は省略する）には、右側の第２大臼歯８Ｒが植設されている。
【００２５】
これら左右の植設床部１２Ａ，１２Ｂから歯茎２２Ａ，２２Ｂのそれぞれの内側へ連続する左右の内側床部１４Ａ，１４Ｂは、左側の植設床部１２Ａと連続する左側の内側床部１４Ａの内面１４ｈが、歯茎２２Ａの内側面２２ｇと接触するとともに、延設部１４ｊが口蓋２１の一部２１ａに接触するように延設されている。また、右側の植設床部１２Ｂと連続する右側の内側床部１４Ｂの内面１４ｉが、歯茎２２Ｂの内側面２２ｈと接触するとともに、延設部１４ｋが口蓋２１の一部２１ｂに接触するように延設されている。なお、口蓋２１の一部２１ａ及び２１ｂは、口蓋２１の下面（粘膜面）と、歯茎２２Ａの内側面２２ｇ及び歯茎２２Ｂの内側面２２ｈとが交差するそれぞれの位置よりも、口蓋２１の内側位置である。
【００２６】
また、左右の植設床部１２Ａ，１２Ｂと歯茎２２Ａ，２２Ｂのそれぞれの外側へ連続する左右の外側床部１７Ａ，１７Ｂは、左側の植設床部１２Ａと連続する左側の外側床部１７Ａの内面１７ｈが、歯茎２２Ａの外側面２２ｉと接触するとともに、延設部１７ｊが歯茎２２Ａの基部２２ｋの近傍まで延設されている。また、右側の植設床部１２Ｂと連続する右側の外側床部１７Ｂの内面１７ｉが、歯茎２２Ｂの外側面２２ｊと接触するとともに、延設部１７ｋが歯茎２２Ｂの基部２２ｍの近傍まで延設されている。なお、歯茎２２Ａの基部２２ｋは、歯茎２２Ａの外側面２２ｉと頬２５Ａの内壁面（粘膜面）との交差部近傍であり、歯茎２２Ｂの基部２２ｍは、歯茎２２Ｂの外側面２２ｊと頬２５Ｂの内壁面（粘膜面）との交差部近傍である。
【００２７】
そして、上記の構成でなる左右の第２大臼歯８Ｌ，８Ｒの近傍における義歯床１１は、左側の内側床部１４Ａと外側床部１７Ａとにより歯茎２２Ａを挟持するとともに、右側の内側床部１４Ｂと外側床部１７Ｂとにより歯茎２２Ｂを挟持し、さらに、左側の内側床部１４Ａはその延設部１４ｊが口蓋２１の一部２１ａに接触するとともに、右側の内側床部１４Ｂはその延設部１４ｋが口蓋２１の一部２１ｂに接触しているので、無口蓋義歯１を口腔内に装着して噛み合わせた場合に、義歯床１１の植設床部１２Ａ，１２Ｂ、内側床部１４Ａ，１４Ｂ及び外側床部１７Ａ，１７Ｂは、歯茎２２Ａ又は２２Ｂ上で滑動することがない。
【００２８】
その結果、外側床部１７Ａ，１７Ｂは頬２５Ａ，２５Ｂに食い込まないので、痛み、炎症、損傷等が生じないとともに、義歯床１１の左側と右側との距離を広げようとする分力が生じないので、義歯床が亀裂せず破損することがない。なお、左右の第３大臼歯は、いわゆる親知らずと称せられ、実際には有していない場合が多いので図示及び説明は省略したが、これら左右の第３大臼歯が有する場合には、上記左右の第２大臼歯８Ｌ，８Ｒの近傍と同様の構成にすることにより、同様の作用効果を得ることができる。
【００２９】
次に、第２の実施の形態であって、図１又は図３に示す左右の中切歯２Ｌ，２Ｒの近傍における義歯床１１について、詳細に説明する。義歯床１１の植設床部１２Ｃは、左側の中切歯２Ｌ及び右側の中切歯２Ｒを植設する内面１２ｍが、歯茎２２Ｃの頂部（下面部）２２ｎと接触するように形成され、植設床部１２Ｃの下面部（符号は省略する）には、左側の中切歯２Ｌ及び右側の中切歯２Ｒが植設されている。
【００３０】
この植設床部１２Ｃから歯茎２２Ｃの内側へ連続する内側床部１４Ｃは、連続する内面１４ｍが、歯茎２２Ｃの内側面２２ｐと接触するとともに、延設部１４ｎが口蓋２１の一部２１ｃに接触するように延設されている。また、植設床部１２Ｃから歯茎２２Ｃの外側へ連続する外側床部１７Ｃは、連続する内面１７ｍが、歯茎２２Ｃの外側面２２ｑと接触するとともに、延設部１７ｎが歯茎２２Ｃの基部２２ｒの近傍まで延設されている。なお、口蓋２１の一部２１ｃは、口蓋２１の下面（粘膜面）と、歯茎２２Ｃの内側面２２ｐとが交差する位置よりも、口蓋２１の内側位置である。また、歯茎２２Ｃの基部２２ｒは、歯茎２２Ｃの外側面２２ｑと上唇２６の内壁面（粘膜面）との交差部近傍である。
【００３１】
そして、上記の構成でなる左右の中切歯２Ｌ，２Ｒの近傍における義歯床１１は、内側床部１４Ｃの延設部１４ｎが、口蓋２１の一部２１ｃにまで延設されてなることから、義歯床１１の左右の中切歯２Ｌ，２Ｒの近傍が補強され、無口蓋義歯１を口腔内に装着して噛み合わせた場合に、義歯床１１の左側と右側との距離を広げようとする分力が生じ、図１に示す左側の中切歯２Ａと右側の中切歯２Ｂとの間の中央線２８近傍の義歯床１１に応力集中が生じても、義歯床１１の中央線２８近傍に亀裂が生じることはない。
【００３２】
次に、第３の実施の形態であって、図１又は図４に示す左右の第２小臼歯６Ｌ，６Ｒの近傍における義歯床１１について、詳細に説明する。義歯床１１の左右の植設床部１２Ｄ，１２Ｅは、左側の第２小臼歯６Ｌを植設する植設床部１２Ｄの内面１２ｎが、歯茎２２Ａの頂部２２ｅと接触するように形成され、植設床部１２Ｄの下面部（符号は省略する）には、左側の第２小臼歯６Ｌが植設されている。また、右側の第２小臼歯６Ｒを植設する植設床部１２Ｅの内面１２ｐが、歯茎２２Ｂの頂部２２ｆと接触するように形成され、植設床部１２Ｅの下面部（符号は省略する）には、右側の第２小臼歯６Ｒが植設されている。
【００３３】
これら左右の植設床部１２Ｄ，１２Ｅから歯茎２２Ａ，２２Ｂのそれぞれの内側へ連続する左右の内側床部１４Ｄ，１４Ｅは、左側の植設床部１２Ｄと連続する左側の内側床部１４Ｄの内面１４ｐが、歯茎２２Ａの内側面２２ｇと接触するとともに、延設部１４ｒが口蓋２１の一部２１ａに接触するように延設されている。また、右側の植設床部１２Ｅと連続する右側の内側床部１４Ｅの内面１４ｑが、歯茎２２Ｂの内側面２２ｈと接触するとともに、延設部１４ｓが口蓋２１の一部２１ｂに接触するように延設されている。なお、口蓋２１の一部２１ａ及び２１ｂは、口蓋２１の下面（粘膜面）と、歯茎２２Ａの内側面２２ｇ及び歯茎２２Ｂの内側面２２ｈとが交差するそれぞれの位置よりも、口蓋２１の内側位置である。
【００３４】
また、左右の植設床部１２Ｄ，１２Ｅと歯茎２２Ａ，２２Ｂのそれぞれの外側へ連続する左右の外側床部１７Ｄ，１７Ｅは、左側の植設床部１２Ｄと連続する左側の外側床部１７Ｄの内面１７ｐが、歯茎２２Ａの外側面２２ｉと接触するとともに、延設部１７ｒが歯茎２２Ａの基部２２ｋの近傍まで延設されている。また、右側の植設床部１２Ｅと連続する右側の外側床部１７Ｅの内面１７ｑが、歯茎２２Ｂの外側面２２ｊと接触するとともに、延設部１７ｓが歯茎２２Ｂの基部２２ｍの近傍まで延設されている。なお、歯茎２２Ａの基部２２ｋは、歯茎２２Ａの外側面２２ｉと頬２５Ａの内壁面（粘膜面）との交差部近傍であり、歯茎２２Ｂの基部２２ｍは、歯茎２２Ｂの外側面２２ｊと頬２５Ｂの内壁面（粘膜面）との交差部近傍である。
【００３５】
そして、上記の構成でなる左右の第２小臼歯６Ｌ，６Ｒの近傍における義歯床１１は、左側の内側床部１４Ｄと外側床部１７Ｄとにより歯茎２２Ａを挟持するとともに、右側の内側床部１４Ｅと外側床部１７Ｅとにより歯茎２２Ｂを挟持し、さらに、左側の内側床部１４Ｄはその延設部１４ｒが口蓋２１の一部２１ａに接触するとともに、右側の内側床部１４Ｅはその延設部１４ｓが口蓋２１の一部２１ｂに接触しているので、無口蓋義歯１を口腔内に装着して噛み合わせた場合に、義歯床１１の植設床部１２Ｄ，１２Ｅ、内側床部１４Ｄ，１４Ｅ及び外側床部１７Ｄ，１７Ｅは、歯茎２２Ａ又は２２Ｂ上で滑動することがない。
【００３６】
その結果、外側床部１７Ｄ，１７Ｅは頬２５Ａ，２５Ｂに食い込まないので、痛み、炎症、損傷等が生じないとともに、義歯床１１の左側と右側との距離を広げようとする分力が生じないので、義歯床が亀裂せず破損することがない。なお、上記左右の第２小臼歯６Ｌ，６Ｒの近傍における義歯床１１の各構成は、図１に示す左右の第１小臼歯５Ｌ，５Ｒの近傍に置き換えて実施することができる。
【００３７】
次に、第４の実施の形態であって、図１又は図５に示す左右の第１大臼歯７Ｌ，７Ｒの近傍における義歯床１１について、詳細に説明する。なお、この左右の第１大臼歯７Ｌ，７Ｒの近傍における義歯床１１は、左右の内側床部１４Ｆ，１４Ｇの延設部１４ｖ，１４ｗが、本考案に係る口蓋２１の一部に接触する延設部ではない通常の構成であって、図１に示す左右の側切歯３Ｌ，３Ｒ、犬歯４Ｌ，４Ｒ又は第１小臼歯５Ｌ，５Ｒの近傍においても同様である。
【００３８】
義歯床１１の左右の植設床部１２Ｆ，１２Ｇは、左側の第２小臼歯７Ｌを植設する植設床部１２Ｆの内面１２ｑが、歯茎２２Ａの頂部２２ｅと接触するように形成され、植設床部１２Ｆの下面部（符号は省略する）には、左側の第１大臼歯７Ｌが植設されている。また、右側の第１大臼歯７Ｒを植設する植設床部１２Ｇの内面１２ｒが、歯茎２２Ｂの頂部２２ｆと接触するように形成され、植設床部１２Ｇの下面部（符号は省略する）には、右側の第１大臼歯７Ｒが植設されている。
【００３９】
これら左右の植設床部１２Ｆ，１２Ｇから歯茎２２Ａ，２２Ｂのそれぞれの内側へ連続する左右の内側床部１４Ｆ，１４Ｇは、左側の植設床部１２Ｆと連続する左側の内側床部１４Ｆの内面１４ｔが、歯茎２２Ａの内側面２２ｇと接触するとともに、延設部１４ｖが、口蓋２１の一部には接触しないように歯茎２２Ａの内側面２２ｇの途中まで延設されている。また、右側の植設床部１２Ｇと連続する右側の内側床部１４Ｇの内面１４ｕが、歯茎２２Ｂの内側面２２ｈと接触するとともに、延設部１４ｗが、口蓋２１の一部には接触しないように歯茎２２Ｂの内側面２２ｈの途中まで延設されている。
【００４０】
また、左右の植設床部１２Ｆ，１２Ｇと歯茎２２Ａ，２２Ｂのそれぞれの外側へ連続する左右の外側床部１７Ｆ，１７Ｇは、左側の植設床部１２Ｆと連続する左側の外側床部１７Ｆの内面１７ｔが、歯茎２２Ａの外側面２２ｉと接触するとともに、延設部１７ｖが歯茎２２Ａの基部２２ｋの近傍まで延設されている。また、右側の植設床部１２Ｇと連続する右側の外側床部１７Ｇの内面１７ｕが、歯茎２２Ｂの外側面２２ｊと接触するとともに、延設部１７ｗが歯茎２２Ｂの基部２２ｍの近傍まで延設されている。
【００４１】
そして、上記の構成でなる左右の第１大臼歯７Ｌ，７Ｒの近傍における義歯床１１は、左側の内側床部１４Ｆと外側床部１７Ｆとにより歯茎２２Ａを挟持するとともに、右側の内側床部１４Ｇと外側床部１７Ｇとにより歯茎２２Ｂを挟持する。なお、これら左右の第１大臼歯７Ｌ，７Ｒの近傍における義歯床１１の左右の内側床部１４Ｆ，１４Ｇは、その延設部１４ｖ，１４ｗが、口蓋２１の一部には接触しない歯茎２２Ａ，２２Ｂの内側面２２ｇ，２２ｈの途中までしか延設されていない。
【００４２】
しかしながら、図１又は図２に示す左右の第２大臼歯８Ｌ，８Ｒの近傍における内側床部１４Ａ，１４Ｂには、口蓋２１の一部２１ａ，２１ｂに接触する延設部１４ｊ，１４ｋが形成されているとともに、図１又は図４に示す左右の第２小臼歯６Ｌ，６Ｒの近傍における内側床部１４Ｄ，１４Ｅには、口蓋２１の一部２１ａ，２１ｂに接触する延設部１４ｒ，１４ｓが形成されているので、無口蓋義歯１を口腔内に装着して噛み合わせた場合に、義歯床１１の植設床部１２Ｆ，１２Ｇ、内側床部１４Ｆ，１４Ｇ及び外側床部１７Ｆ，１７Ｇは、歯茎２２Ａ又は２２Ｂ上で滑動することがない。
【００４３】
その結果、外側床部１７Ｆ，１７Ｇは頬２５Ａ，２５Ｂに食い込まないので、痛み、炎症、損傷等が生じないとともに、義歯床１１の左側と右側との距離を広げようとする分力が生じないので、義歯床１１が亀裂せず破損することがない。また、上記左右の内側床部１４Ｆ，１４Ｇは、その延設部１４ｖ，１４ｗが、口蓋２１の一部には接触しない歯茎２２Ａ，２２Ｂの内側面２２ｇ，２２ｈの途中までしか延設されていないことから、口蓋２１の表面が閉塞されない露出面積が広くなり、食感が損なわれないとともに、明瞭な発音をすることができる。この作用は、図１に示す左右の側切歯３Ｌ，３Ｒ、犬歯４Ｌ，４Ｒ、第１小臼歯５Ｌ，５Ｒ等の近傍においても同様である。
【００４４】
次に、第５の実施の形態であって、図６又は図７に示す左側の側切歯３３Ｌと右側の中切歯３２Ｒとの間に、天然歯の左側の中切歯３２Ｌが残存する場合の義歯床４１について、詳細に説明する。なお、残存する中切歯３２Ｌに係る構成要件以外の他の部分については上記第１ないし第４の実施の形態と同様であるので、本欄では説明を省略する。この義歯床４１には、左側に側切歯３３Ｌないし第２大臼歯３８Ｌの人工歯が植設され、右側に中切歯３２Ｒないし第２大臼歯３８Ｒの人工歯が植設され、左側の側切歯３３Ｌと右側の中切歯３２Ｒとの間は、天然歯の中切歯３２Ｌ（以下、天然歯３２Ｌという）を受け入れる受入れ空間４３であり、人工歯は植設されていない。
【００４５】
この受入れ空間４３は義歯床４１の外側床部４７Ｃが、左側の側切歯３３Ｌの近傍の切欠き面４７ｅと右側の中切歯３２Ｒの近傍の切欠き面４７ｆとにより開放され、これらの切欠き面４７ｅ，４７ｆにより形成される受入れ空間４３の幅は、天然歯３２Ｌを挿通可能な幅に形成されている。これに対して、内側床部４４Ｃは、図６に示す天然歯３２Ｌの内側輪郭と接触する接触面４４ｅが形成されている。このように受入れ空間４３が形成された義歯床４１は、天然歯３２Ｌを受入れ空間４３内に挿通して歯茎２２Ｃに装着することができる。
【００４６】
また、上記受入れ空間４３の外側（前面側）には、無口蓋義歯３１を支持する押圧部材４５が設けられている。この押圧部材４５は、埋設部４５ａと、この埋設部４５ａと一体的に連続するとともに透明な帯状に形成された押圧部４５ｂとを有し、義歯床４１と同一素材の樹脂素材により成形されている。これらのうち、埋設部４５ａは、受入れ空間４３の一方の切欠き面４７ｅ側の義歯床４１内に埋設されるとともに接着により固定され、この義歯床４１内の埋設部４５ａと連続する押圧部４５ｂは、一方の切欠き面４７ｅから突出し、無口蓋義歯３１の装着により受け入れられた天然歯３２Ｌの外側面（前面）と接触するとともに先端が隣接する右側の中切歯３２Ｒの近傍まで延設されている。
【００４７】
そして、上記の構成でなる天然歯３２Ｌが残存する場合の義歯床４１は、受入れ空間４３の一方の切欠き面４７ｅ側の義歯床４１内に固定された埋設部４５ａと、一方の切欠き面４７ｅから突出し、無口蓋義歯３１の装着により受け入れられた天然歯３２Ｌの外側面（前面）と接触するとともに先端が隣接する左側の中切歯３２Ｒの近傍まで延設された帯状の押圧部４５ｂと、を有してなる押圧部材４５を備えてなることから、該押圧部材４５の押圧部４５ｂによる天然歯３２Ｌの押圧作用により、他の部位の内側床部４４Ａと外側床部４７Ａ、内側床部４４Ｂと外側床部４７Ｂ、内側床部４４Ｄと外側床部４７Ｄ、内側床部４４Ｅと外側床部４７Ｅ等による歯茎の挟持と相まって、義歯床４１の落下を防止することができる。また、押圧部材４５の帯状の押圧部４５ｂは、透明に成形されてなることから、押圧部材４５の装着を視認できず違和感がないので不快感を抱くことがない。
【００４８】
なお、第１ないし第４の実施の形態においては、無口蓋義歯１を構成する人工歯について、左右の中切歯２Ｌ，２Ｒないし第２大臼歯８Ｌ，８Ｒの全てが人工歯である構成により図示及び説明をしたが、本考案の無口蓋義歯は、これらのうち、一部が天然歯である場合でも適用することができる。また、上記実施の形態はそれぞれ１例を示すものであって、例えば、第１の実施の形態のみに基づく無口蓋義歯であってもよく、第１及び第２の実施の形態を組合せた無口蓋義歯であっても良い。また、第５の実施の形態では、押圧部材が樹脂素材の帯状で示したが、例えば、従来から実施されている針金状金属の押圧部材であっても良い。また、上記義歯床１１の素材は特に限定されるものではないが、アクリル樹脂よりも、ポリカーボネート系樹脂が弾性力等の点で適している。
【図面の簡単な説明】
【００４９】
【図１】本考案の実施の形態に係る無口蓋義歯を示す下面図である。
【図２】図１のＡ−Ａ矢視断面図である。
【図３】図１のＢ−Ｂ矢視断面図である。
【図４】図１のＣ−Ｃ矢視断面図である。
【図５】図１のＤ−Ｄ矢視断面図である。
【図６】天然歯が残存する場合の実施の形態に係る無口蓋義歯を示す下面図である。
【図７】図６のＦ矢視図（無口蓋義歯の正面図）である。
【図８】背景の技術に係る無口蓋義歯を示す下面図である。
【図９】図８のＥ−Ｅ矢視断面図であって、上下の歯を噛み合わせていない状態を示す。
【図１０】図８のＥ−Ｅ矢視断面図であって、上下の歯を噛み合わせている状態を示す。
【符号の説明】
【００５０】
１  無口蓋義歯
２Ｌ，２Ｒ  中切歯
３Ｌ，３Ｒ  側切歯
４Ｌ，４Ｒ  犬歯
５Ｌ，５Ｒ  第１小臼歯
６Ｌ，６Ｒ  第２小臼歯
７Ｌ，７Ｒ  第１大臼歯
８Ｌ，８Ｒ  第２大臼歯
１０Ｌ，１０Ｒ  人工歯
１１  義歯床
１２Ａ，１２Ｂ，１２Ｃ，１２Ｄ，１２Ｅ，１２Ｆ，１２Ｇ  植設床部
１４Ａ，１４Ｂ、１４Ｃ，１４Ｄ，１４Ｅ，１４Ｆ，１４Ｇ，４４Ｃ  内側床部
１４ｊ，１４ｋ，１４ｎ，１４ｒ，１４ｓ，１４ｖ，１４ｗ  延設部
１７Ａ，１７Ｂ，１７Ｃ，１７Ｄ，１７Ｅ，１７Ｆ，１７Ｇ，４７Ｃ  外側床部
２１  口蓋
２１ａ，２１ｂ，２１ｃ  一部（口蓋の）
２２Ａ，２２Ｂ，２２Ｃ  歯茎
２２ｅ，２２ｆ，２２ｎ  頂部
２２ｇ，２２ｈ，２２ｐ  内側面
２２ｉ，２２ｊ，２２ｑ  外側面
４５  押圧部材
４５ａ  埋設部
４５ｂ  押圧部
【図１】
0003132554.tif 000003
【図２】
0003132554.tif 000004
【図３】
0003132554.tif 000005
【図４】
0003132554.tif 000006
【図５】
0003132554.tif 000007
【図６】
0003132554.tif 000008
【図７】
0003132554.tif 000009
【図８】
0003132554.tif 000010
【図９】
0003132554.tif 000011
【図１０】
0003132554.tif 000012